(57)【要約】 【課題】  移動竿の正確で安定した平行保持と静粛で滑らかな上下移動操作が出来、且つ複数の移動竿の移動と保持に適した簡明な竿移動装置を得る。【解決手段】  上部竿に軸受に支持された水平軸上に一組の巻掛け歯車を固定に設け、該巻掛け歯車に一組の刻み目付竿保持体を巻き掛けてその後方側を水平遮蔽羽を貫通して移動竿に結合し、その前方側を水平遮蔽羽の表側に垂下して竿操作手段とした。又、上部竿と移動竿の間に内部に軸受に支持された水平軸と、該水平軸上に前記一組の刻み目付竿保持体と噛合う一組の移動歯車を固定した竿移動保持装置を備える複数の中間移動竿を設け、上位の竿の中央部に中間竿操作手段と竿止め手段を設けたり、各々の移動竿内に竿操作手段と竿止め手段を設けた。  【選択図】        図１
2005273220.tif 000002
【特許請求の範囲】
【請求項１】
上部竿内に軸受を介して回転自在に保持された水平軸と、前記水平軸上に一定の間隔で固定に設けられた一組の巻掛け歯車と、前記巻掛け歯車に巻き掛けられてその後方側が水平遮蔽羽の対応する位置に穿たれた保持孔を貫通してその端を移動竿の対応位置に結合されその前方側が水平遮蔽羽の表側を垂下せしめた一組の刻み目付竿保持体と、前記水平軸に回転連結に設けられた竿操作手段と、前記水平軸に回転連結に設けられた竿止め手段を有することを特徴とする水平遮蔽羽ブラインドの竿移動装置。
【請求項２】
上部竿の下部の一組の刻み目付竿保持体上にその竿内に軸受に回転自在に支持された水平軸と前記水平軸上の前記一組の刻み目付竿保持体に対面する位置に各々固定されて前記一組の刻み目付竿保持体に噛合う一組の移動歯車を備える移動竿と、前記水平軸に固定された大歯車と、前記大歯車の前部に前記水平軸と平行に固定された支軸に回転自由に支持され前記大歯車に噛合う小歯車を一体に備える操作歯車と、該操作歯車に巻掛けた輪状の刻み目付の操作体と、操作歯車の下部に前記操作体の弛み側の窪み空間を形成する窪み面と、前記操作体の引き側の前側に形成される前壁面と、引き側と弛み側との間の分離壁と、前記操作歯車の下部に斜め上下に運動自由に保持されその前側面に操作体の刻み目に合致した歯を備える止め片からなる竿操作手段を有することを特徴とする請求項１記載の水平遮蔽羽ブラインドの竿移動装置。
【請求項３】
上部竿と移動竿の間の刻み目付竿保持体上にその竿内に軸受に回転自在に支持された水平軸と前記水平軸上の前記一組の刻み目付竿保持体に対面する位置に各々固定されて前記一組の刻み目付竿保持体に上下移動可能に噛合う一組の移動歯車からなる竿移動保持装置を備える少なくとも一本の中間移動竿と、前記中間移動竿の上位にある竿の略中央部に軸受に回転自由に支持された前後方向の巻掛け車手段と、前記巻掛け車手段に巻き掛けられその後方側が下位の中間移動竿に結合されその前方側が水平遮蔽羽の表側を垂下して中間竿の竿操作手段を成す竿保持体と、前記巻掛け車手段の下部に設けた竿止め手段を備えることを特徴とする請求項１記載の水平遮蔽羽ブラインドの竿移動装置。
【請求項４】
上部竿に巻掛け歯車群に隣接して操作モータ群を設け、前記操作モータ群と前記巻掛け歯車群との間に通電時のみモータ側に連結され、非通電時には手動側の連結に切換わる電磁クラッチ群を設けことを特徴とする請求項１及び３項記載の水平遮蔽羽ブラインドの竿移動装置。
【発明の詳細な説明】
【技術分野】
【０００１】
本発明は、建物の窓部に面して上部に設けた上部竿の下に上下に移動調節の出来る移動竿を有し、上部竿と移動竿間に一定間隔の多数の水平遮蔽羽（スラット）を備え、これら多数の遮蔽羽を各々その水平軸線の周りに一斉に回動せしめてその傾きの方向と、その傾きの強弱によって遮蔽機能の調節を行うようにした遮蔽調節面を備えるブラインドの移動竿の移動と保持のための新規な竿移動装置に関する。特に、竿保持体上に複数本の移動竿を備え一面内に複数面の遮蔽調節面を備える水平遮蔽羽ブラインドに有利な竿移動装置関する。
【背景技術】
【０００２】
従来、ブラインドの移動竿は上部の固定竿内に設けた竿移動装置より垂下された昇降紐や薄い金属性テープにより上下の調節と保持が行われるものが一般に広く普及している。
また、ブラインドの両側端側にチェインやベルトあるいはラック状のものを設けて移動竿を上下に移動せしめ、且つ保持せしめるようにしたブラインド等がこれまで提案されている。
【０００３】
一面の水平遮蔽羽ブラインド内に複数面の遮蔽調節面を設ける提案がなされている。ブラインド面を一層機能的に扱える利点があるが、。特願２００２−１６３０５４号は複数の移動竿の昇降操作と保持の為に、従来のコード状の竿紐に変えて薄いテープを重合して用いたものである。
【０００４】
ここで、本明細書で用いる言語の語義を以下のように定義する。竿移動装置は竿の平行保持と上下移動と移動止めを行う為の装置である。該竿移動装置は竿の平行移動と平行保持を行う竿移動保持装置と、竿の上下移動を操作する為の竿操作手段ないし竿操作装置と、竿の移動を止めをする為の竿止め手段ないし竿止め装置からなり、これらを包含するものである。又、複数の移動竿を有するブラインドにおいて、移動竿とは最下位の移動竿をのことを云い、それより上部にある移動竿は中間移動竿又は中間竿と呼ぶこととする。さらに、竿保持体と云うは、歯付ベルトのような刻み目付の竿帯あるいはコード状のもの、テープ状のもの等々を含む総称である。さらに、巻掛け車手段とは巻掛け歯車及び巻掛け車を総称して呼ぶものである。
【特許文献１】特願２００２−１６３０５４号公開公報
【特許文献２】特願２００３−１６３６４７号公開公報。
【発明の開示】
【発明が解決しようとする課題】
【０００５】
従来の固定竿内に巻き取りドラムやリールを備え、ブラインド面内を垂下した昇降紐や薄いテープにより移動竿の移動と保持を行うタイプの移動保持装置では、移動竿と遮蔽羽の重量により昇降紐等が張られている。昇降紐等は伸びやすく且つ弛みに対する抵抗力がなく竿の水平維持の調整が難しい。従って、移動の正確さや確実性の点でも十分でない。昇降紐や薄いテープは傷みやすく、また弛みによるトラブルを起こしやすい等の欠点がある。さらに、面内に複数本の移動竿を備え上下に独立した複数の遮蔽調節面を有するものでは、昇降紐の数が増え複雑になる欠点がある。
又、ブラインド面の両側にチェインやベルトあるいはラック状のものを設けたものは、装置全体が大げさになり、且つ取付の融通性に欠けるなどの欠点があるので殆ど実用に至っていない。従来のコード状の竿紐に変えて薄いテープを重合して用いた特願２００２−１６３０５４号は複数の移動竿における昇降紐の絡みの問題を解決しているが、竿移動装置が複雑且つ、大きくなる点が充分解決されていない。
本発明の目的は、この種のブラインドにおける前述のような欠点に鑑み、移動竿の正確で安定した平行保持と静粛で滑らかな上下移動操作の出来る竿移動装置を備えるブラインドを提供するにある。
本発明の他の目的は竿保持体に関わるトラブル等を起し難い簡明で操作しやすい竿移動装置を備えるブラインドを提供するにある。
本発明のさらに他の目的は複数の移動竿の移動と保持に適した竿移動装置を備え、自由な新しい遮蔽パターン面を持ったブラインドを提供するにある。
本発明のさらに他の目的は、全ての竿操作が上部竿に設けた電動モータによることが出来、電動と手動の操作の選択が出来る機能性に富んだ複数の遮蔽面を備えるブラインドを提供するにある。
【課題を解決するための手段】
【０００６】
上記目的を達成するために、本発明のブラインドの竿移動装置においては、上部竿内に軸受を介して回転自在に保持された水平軸と、前記水平軸上に一定の間隔で固定に設けられた一組の巻掛け歯車と、前記巻掛け歯車に巻き掛けられてその後方側が水平遮蔽羽の対応する位置に穿たれた保持孔を貫通してその端を移動竿の対応位置に結合されその前方側が水平遮蔽羽の表側を垂下せしめた一組の刻み目付竿保持体と、前記水平軸に回転連結に設けられた竿操作手段と、前記水平軸に回転連結に設けられた竿止め手段を有する。
【０００７】
巻掛け歯車の前方側を垂下する一組の刻み目付竿保持体の少なくとも一つを操作手段とすることが特に有利である。
【０００８】
上部竿の下部の一組の刻み目付竿保持体上にその竿内に軸受に回転自在に支持された水平軸と、前記水平軸上の前記一組の刻み目付竿保持体に対面する位置に各々固定されて前記一組の刻み目付竿保持体に噛合う一組の移動歯車を備える移動竿と、前記中間移動竿の上位にある竿の略中央部に軸受に回転自由に支持された前後方向の巻掛け車手段と、前記巻掛け車手段に巻き掛けられその後方側が下位の中間移動竿に結合されその前方側が水平遮蔽羽の表側を垂下して中間竿の竿操作手段を成す竿保持体と、前記巻掛け車手段の下部に設けた竿止め手段を備える中間竿の竿移動装置を設けるとよい。中間移動竿の操作手段が一層簡明、且つ操作しやすいものとなる。
【０００９】
上部竿の下部の一組の刻み目付竿保持体上にその竿内に軸受に回転自在に支持された水平軸と、前記水平軸上の前記一組の刻み目付竿保持体に対面する位置に各々固定されて前記一組の刻み目付竿保持体に噛合う一組の移動歯車を備える移動竿と、前記水平軸に固定された大歯車と、前記大歯車の前部に前記水平軸と平行に固定された支軸に回転自由に支持され前記大歯車に噛合う小歯車を一体に備える操作歯車と、該操作歯車に巻掛けた輪状の刻み目付の操作体と、操作歯車の下部に前記操作体の弛み側の窪み空間を形成する窪み面と、前記操作体の引き側の前側に形成される前壁面と、引き側と弛み側との間の分離壁と、前記操作歯車の下部に斜め上下に運動自由に保持されその前側面に操作体の刻み目に合致した歯を備える止め片を有する移動竿の操作手段を設けるとよい。
【００１０】
上部竿に巻掛け歯車群に隣接して操作モータ群を設け、前記操作モータ群と前記巻掛け歯車群との間に通電時のみモータ側に連結され、非通電時には手動側の連結に切換わる電磁クラッチ群を設けることが出来る。
【００１１】
竿止め手段は公知の任意のものとすることが出来るが、巻掛け車手段や操作歯車の下部に上下動する止め片を備えるものでは、竿保持体や操作体の操作部に移動竿側の重量に対して充分小さい重さの張り重りを結合しておくとよい。操作部が垂下されている時に竿保持体が止め片の掛かり部の前面により強く接して作動が確実となり、竿の不意の落下を防止したり、移動竿を下げてブラインドを開く時に、中間竿等が移動竿に追従して降下してくることを防ぐことが出来る。
【発明の効果】
【００１２】
本発明によれば、移動竿が上部竿の水平軸に固定に設けられた一組の巻掛け歯車に巻き掛けられた一組の刻み目付竿保持体で保持されるので移動竿が正確で安定した平行保持と静粛で滑らかな上下移動操作の出来る竿移動装置のブラインドが得られる。
本発明によれば、巻掛け歯車の前方側を垂下する刻み目付竿保持体を操作手段とすることが出来るので、簡明で操作しやすい竿移動装置を備えるブラインドが得られる。
本発明によれば、刻み目付竿保持体上に設けられた複数の中間竿が上位の竿に設けた竿操作手段の一本の竿保持体に結合され水平遮蔽羽の表側の垂下部で操作出来るので、複数の移動竿の移動と保持の操作がやりやすい一層簡明なブラインドが得られる。
本発明によれば、刻み目付竿保持体上に設けられた複数の中間竿が各々その中間竿自体に設けた竿操作手段と竿止め手段により移動と保持の操作が出来るので、複数の移動竿の移動と保持の操作が一層簡明なブラインドが得られる。
本発明によれば、全ての竿操作手段と竿止め手段は上部竿に設けた電動モータによることが出来、電動と手動の操作の選択が出来る機能性に富んだ複数の遮蔽面のブラインドを得ることが出来る。
【発明を実施するための最良の形態】
【００１３】
移動竿の正確で安定した平行保持と静粛で滑らかな上下移動操作の目的を上部竿内に軸受に回転自由に支持され一組の巻掛け歯車を固定に備える水平軸上を設け、巻掛け歯車に一組の刻み目付竿保持体を巻き掛けてその後方側を水平遮蔽羽を貫通して移動竿に結合し、その前方側を水平遮蔽羽の表側に垂下して竿操作手段とすることで簡明な竿移動装置を達成した。又、上部竿と移動竿の間刻み目付竿保持体上に竿移動保持装置を備える複数の中間移動竿を設け、上位の竿の中央部に中間竿操作手段と竿止め手段を設けたり、中間移動竿内に竿操作手段と竿止め手段を設けたりすることにより中間移動竿の移動と保持の操作が一層やりやすい簡明な複数遮蔽面のブラインドが得られた。
【実施例１】
【００１４】
図１〜４において、窓枠の上部の壁に金具等を介して固定に取り付けられる上部竿1の下には移動竿２が上部竿1から垂下されている一組の竿帯３により略一杯に開いた間隔で保持されている。上部竿１から移動竿２に垂下される一組の羽保持紐４には水平遮蔽羽５が保持されている。
上部竿1内には竿移動保持装置６が設けてある。上部竿1内には軸受７と８に支持される一本の四角の軸断面を有する水平軸９が設けてある。該水平軸９上には一定の間隔位置に一組の巻掛け歯車１０がその軸心に設けられた四角孔で確りと固定され水平軸９と一体で回転するように回転連結されている。竿帯３は正確な幅と厚さの強靭で柔軟な平形の歯付ベルトで、各々掛け歯巻車１０上に巻き掛けてあり、その後側は水平遮蔽羽５の対応する位置に穿たれた保持体孔を貫通して移動竿２の対応位置に結合片１２により固定されている。一方前側は水平遮蔽羽５の表側に垂下されている。ここで、水平遮蔽羽５の表側に垂下された一組の竿帯３の中、左側の竿帯の下端は切離されたままの切断端１３になっており、右側の竿帯の下端は長く下方に伸びて移動竿２の下をＵターンして下側から結合片１２に結合されており、操作部１４（即ち操作手段）になっている。勿論、該操作部１４側の竿帯の端も切離されたままの切断端であってもよいし、全ての竿帯３の端を移動竿２の下に結合して操作部（操作手段）として使用出来るようにしてもよい。右側の巻掛け歯車１０の下部に前後に長い止め片１５が設けてある。該止め片１５はその後部側を上部竿１に固定された保持ブロック１１の保持ピン１６により保持されている。止め片１５の前部側には上側面に対面する巻掛け歯車１０と噛合い可能な止め歯面１７を有し、その前側面に対面する操作部１４の竿帯３の歯と噛合い可能な歯面を有する掛かり部１８を備えている。止め片１５は巻掛け歯車１０と上部竿１の底板との間で保持ピン１６の周りに揺動可能である。該止め片１５の止め歯面１７が巻掛け歯車１０の下側に噛合っている時、その掛かり部１８は巻掛け歯車１０の前端より幾分前へ出っ張っている。そこで、巻掛け歯車１０の前側より垂れる竿帯３の歯は常に掛かり部１８の歯面に噛合って下に垂下される。移動竿２の移動操作はこの操作部１４によって行われる。即ち、操作部１４を手に持ってＡの傾きで引くと竿帯３の歯は掛かり部１８の歯面から外れ、巻掛け歯車１０を矢印１９の方向に回転せしめる。そこで、止め片１５の止め歯面１７は自重により巻掛け歯車１０との噛合いが外れて仮想線で示すように上部竿１の底板上に落下する。これによって水平軸９の回転が自由になるので操作部１４を引きあるいは弛めすることによって移動竿２を上下に移動せしめることが出来る。移動竿２が所望の位置になった時、操作部１４の傾きをＢの位置に保って弛めると、竿帯３の歯は掛かり部１８の歯面を引っ掛けて噛み合い、止め片１５を引き上げる。そこで、その止め歯面１７が巻掛け歯車１０の下側に噛み込み水平軸９の回転が止められる。これによって移動竿２はその止まった位置に保持される。図３のように操作部１４側の竿帯３が掛かり部１８に噛合って下に垂下されていれば、風などによる外力が働いて移動竿２が持ち上がり、巻掛け歯車１０に逆方向の回転力を生ずることがあっても、止め片１５は容易に外れることがない。強固な竿止め手段が得られる。ここに示す実施例の竿移動保持装置６は竿操作手段を内含しているとも言える。巻掛け歯車１０の下に設けた止め片１５からなる竿止め手段も細かな点で変更出来る。竿止め手段としては公���のものを含め種々可能であり、本発明の範囲においてそれらを広く適用出来ることは当然である。
竿帯３と移動竿２との結合は、公知の任意の手段によることが出来る。ここでは竿帯３の縦断面形状に合致した形状の一方の側端が開放された保持溝２６を有し移動竿２の挿入孔２７に下側から差し込んで嵌め込まれた結合片１２を介してなされている。
ここで、竿帯３は保持溝２６の開放側から横滑りに差し込まれ結合片１２と一体化されて挿入孔２７に差し込まれている。
【００１５】
図４は羽操作手段の実施例を示す図である。水平軸９に固定される筒体２０に羽操作手段の保持リング２８が嵌まっている。羽保持紐４はその表側と裏側の紐端を各々のガイドローラ２９及び３０に案内され保持リング２８の表側と裏側より巻くように掛けられてピン３１に結ばれている。該保持リング２８は割溝３２があって、その弾力で筒体２０に一定の把持力で嵌まっており、筒体２０が回転する時に筒体２０との摩擦力で羽保持紐４を動かす回転力を得る。保持リング２８の両側に固定された側板３３及び３４は保持リング２８の横移動を止め、その位置に保つ。竿の上下移動操作と協動で水平遮蔽羽の傾け操作を行う最も簡明な羽操作手段である。
【実施例２】
【００１６】
図５〜８は他の実施例を示す。ここで、以後の実施例の説明においては前述の実施例と同じ部分については実施例毎に同一の符号にａ、ｂ、ｃ、ｄの添字を付して示し、その詳しい説明を省略して主に異なる部分について説明する。この実施例は移動竿２ａの竿移動保持装置６ａ並びに上下の羽操作手段は前述の第一の実施例と基本的に同じである。
ここでは、上部竿1ａと該上部竿1ａ内の竿移動保持装置６ａより垂下される竿帯３ａに保持される移動竿２ａとの間に第一中間竿３５と第二中間竿３６が設けてある。上部竿１ａと第一中間竿３５間には上部羽保持紐４ａに保持される上部水平遮蔽羽5ａによって上部遮蔽調節面Ａが形成され、第二中間竿３６と移動竿２ａ間には下部羽保持紐３７に保持される下部水平遮蔽羽３８によって下部遮蔽調節面Ｂが形成されている。
第一中間竿３５内には軸受４０及び４１に回転自在に支持された水平軸３９が設けてある。該水平軸３９上には竿帯３ａに対面する位置に竿帯３ａの刻み目に噛合う歯を有する一組の移動歯車４２が固定されており、水平軸３９と各移動歯車４２は確りと回転連結されている。各移動歯車４２は各々対面する竿帯３ａの刻み目に噛合わされている。第一中間竿３５の表裏方向幅の略中心位置に上と下の竿帯の出入口４３及び４４がある。巻掛け歯車１０ａの後方側を垂下する竿帯３ａはその表側面に刻み目を有しており、従って竿帯３ａは移動歯車４２の裏側に巻掛けられて竿内を通っている。竿内には移動歯車４２の上下に竿帯３ａを案内するローラ４５が設けてある。該ローラ４５は竿内を通る竿帯３ａの周りを案内して移動歯車４２に巻掛けて上下の出入口４３及び４４に導き、竿帯３ａを前述の竿の中心位置より上下に引き出すようにする。中間移動竿自体の重心の配慮と共に、下部に掛る竿の重量によって竿帯３ａが張られ、その張力によっても該第一中間竿の前後方向の水平保持が図られる。ローラ４５は竿帯３ａを移動歯車の周りに確りと保持し、竿帯と移動歯車の噛合い率を高め、且つ竿帯の滑らかな流れを保つ。そして竿の表裏方向の水平を保つのに有益な働きをする。第一中間竿の左右方向の水平は水平軸３９に固定され竿帯３ａに噛合っている一組の移動歯車４２の竿移動保持装置６ｂによって確りと保持される。
第二中間竿３６も第一中間竿３５と基本的の同じである。第二中間竿３６の違うところは水平軸３９ａ上に上部竿１ａの羽操作手段と同じような下部水平遮蔽羽３８の羽操作手段が付加されているのみである。第一中間竿３５と同じように、第二中間竿３６の左右方向の水平も水平軸３９ａに固定され竿帯３ａに噛合う一組の移動歯車４２ａからなる竿移動保持装置６ｃによって確りと保持される。
移動竿２ａの上下移動と保持の操作は、前述の例と同じようにして竿帯３ａの操作部１４ａ（即ち操作手段）によって行われる。ここでは、竿止め手段の止め片１５ａは左右の両巻掛け歯車１０ａの下部に設けられている。そして両止め片１５ａは四角の軸断面の連結軸１６ａに同位相に固定されており、連結軸１６ａは各々の側に設けた保持ブロック１１ａに軸受１２０を介して回転自由に保持されている。そこで移動操作の際は、両止め片１５ａは同時に動き両巻掛け歯車１０ａを同時に確りと竿止めする。さらにここでは、止め片１５ａはその前側面に平坦な掛かり部１８ａを備えている。竿帯３ａが滑り難い歯付ベルトのようなものであるからこの平坦な掛かり部１８ａによっても、前述の例とほぼ同じように止め片１５ａの引っ掛けと保持の機能を果たし得る。
図８により第一中間竿３５の竿操作手段と竿止め手段について説明する。第一中間竿の上位の竿、即ち上部竿１ａ内には、その左右方向の略中央位置の水平軸９ａ上に軸受４７を介して回転自由に保持される前後方向に向いた巻掛け車４８が設けてある。該巻掛け車４８はその外周に竿保持体４９の掛る溝が設けてあり、該溝に嵌まるようにコード状の竿保持体４９が巻掛けられている。竿保持体４９の後方側は上部竿１ａの底の孔より上部水平遮蔽羽５ａの対応する位置に穿たれた保持孔を貫通して垂下され、その下端は第一中間竿３５の上部に結合されている。一方、その前方側を垂下する竿保持体４９は上部水平遮蔽羽５ａの表側を垂下して第一竿操作部５０をなしている。巻掛け車４８の下部には竿止め手段の止め片５１がその後部を保持ブロック５２の保持ピン５３により上下に揺動自在に保持されている。保持ブロック５２は竿保持体４９の巻掛け部分の上部周りを覆う巻掛け案内部５４を有する。該巻掛け案内部５４の前方側は斜め前方に傾斜して下った前壁面５５になっている。止め片５１はその前側面に山歯状の掛かり部５６を備えている。止め片５１は第一竿操作部５０を引いた時に自重で外れて竿の底面に落下する。そして第一竿操作部５０によって竿保持体４９を掛かり部５６に押し当てられながら竿重量により引き戻されて巻掛け車４８が矢印７０で示す方向に回転する時に引上げられ、竿保持体４９を前壁面５５との間で挟んで第一中間竿３５の移動を止める働きをする。このように移動竿２ａの場合と同じように第一竿操作部５０を操作することで、第一中間竿３５とこれに繋がる部分を上下に移動させ所望の位置に保持することが出来る。第一中間竿３５は前述したように水平軸３９と移動歯車４２の竿移動保持装置６ｂによって平行を保って移動と保持が行われる。
第二中間竿３６の竿操作手段と竿止め手段は、上部竿１ａでもよいが、ここでは第一中間竿３５に設けられている。第一中間竿３５には左右方向の略中央位置の前側に保持ブロック５８が固定に設けてあり、該保持ブロック５８に固定された左右方向の支軸５９上に前後方向に向いた巻掛け車６０が回転自由に保持されている。該巻掛け車６０にコード状の竿保持体４９が巻掛けられている。該竿保持体はこの部分に独立のものであってもよいが、ここでは、巻掛け車４８の前方側を垂下する竿保持体４９の第一竿操作部５０の延長された端が導かれて用いられている。こうすることで二つの操作部が絡み合うようなことがなく操作上扱いやすくなる等の利点がある。巻掛け車６０の後方側を垂下する竿保持体４９は案内ローラ６１に案内されて竿の略中心を通り、その下端は第二中間竿３６の上部に結合されている。巻掛け車６０の前方側の竿保持体４９は第二中間竿３６と下部水平遮蔽羽３８の表側を垂下して第二竿操作部６２をなしており、該第二竿操作部６２の下部は前述したように第一竿操作部５０の下部に繋がっている。巻掛け車６０の下部には保持ブロック５８の下部に囲まれた室６４が設けられ、該室６４の中に竿止め手段の止め片６３が嵌まっている。該止め片６３はその前側面に山歯状の掛かり部６５を有し、その左右の端面に前方へ傾斜したキー状の突起６６を備えている。室６４の側壁には突起６６の傾斜に合致した傾きの長い案内溝６７が設けてあり、止め片６３はその突起６６部分を案内溝６７に案内されて斜め上下に運動自在になっている。保持ブロック５８は竿保持体４９の巻掛け部分の上部周りを覆う巻掛け案内部６８を有し、該巻掛け案内部６８の前方側が斜め前方に傾斜して下った前壁面６９になっている。止め片６３は第二竿操作部６２を引いた時に自重で外れて室６４の底面に落下し、第二竿操作部６２で竿保持体４９を掛かり部６５に押し当てられながら竿重量により矢印７０で示す方向に引上げられた際に、竿保持体４９を前壁面６９との間で挟んで第二中間竿３６の移動を止める働きをする。第一中間竿３５の場合と同じように、第二竿操作部６２を操作して第二中間竿３６とこれに繋がる部分を上下に移動させ所望の位置に保持することが出来る。竿保持体の第一竿操作部５０には重り７１が、第二竿操作部６２には重り７２が各々結合されている。これらの重りは移動竿側の重量に対して充分小さい重さであり、各操作部が垂下されている時に竿保持体が止め片の掛かり部の前面により強く接して止め片の作動をより確実なものにする。第二中間竿３６は前述したように水平軸３９ａと移動歯車４２ａの竿移動保持装置６ｃによって平行を保って移動と保持が行われる。従って、竿操作装置の巻掛け車の設置位置はなるべく竿の中央であることが望ましいが、幾分ずれていても中間竿の移動の平行は保たれる。移動竿２ａが操作部１４ａの操作によって移動する時に、第一中間竿３５と第二中間竿３６は各々の竿止め手段により移動止めされているので移動せずにその位置に止まって、水平軸と移動歯車だけが竿帯３aの移動に伴って空転するだけである。
第一中間竿３５の表側と裏側の下部に竿の略全横幅にわたって下方に突出するカバー部４６が設けられている。該カバー部４６は眺望遮蔽調節面Ｃを閉止した際に第一中間竿３５と第二中間竿３６間の僅かな隙間を遮る働きをすると共に両竿を確りと一体化する働きをする。従って、風などに対しても安定である。
【実施例３】
【００１７】
図９は第一中間竿と第二中間竿の竿操作手段と竿止め手段の他の実施例を示す。  ここで、上部竿１ｂに第一中間竿３５ａの巻掛け車４８ａと並列に第二中間竿３６ａの巻掛け車６０ａが設けてある。そして巻掛け車６０ａの後方側を垂下する竿保持体４９ｂは巻掛け車４８ａの後方側を垂下する竿保持体４９ａと同じようにして上部竿１ｂの底の孔より上部水平遮蔽羽５ｂの対応する位置に穿たれた保持孔を貫通して垂下され、第一中間竿３５ａの上部に至っている。ここで竿保持体４９ａ側は第一中間竿３５ａの上部に結合されているが、竿保持体４９ｂ側は第一中間竿３５ａを貫通して下に伸び、その下端が第二中間竿３６ａの上部に結合されている。一方、巻掛け車４８ａと巻掛け車６０ａの前方側を垂下する竿保持体４９ａと竿保持体４９ｂは上部水平遮蔽羽５ａの表側を垂下してそれぞれ第一竿操作部５０ａと第二竿操作部６２ａをなしている。第一竿操作部５０ａの下端には重り７１ａが、第二竿操作部６２ａには重り７２ａが各々結合されている。この実施例の好ましい一点は移動竿、第一中間竿及び第二中間竿の全ての竿操作手段と竿止め手段を上部竿に集中させることが出来るところにある。
【実施例４】
【００１８】
図１０は中間竿の竿操作手段と竿止め手段のさらに他の実施例を示す。ここでは、第一中間竿３５ｂと第二中間竿３６ｂの竿操作手段の竿保持体として歯付ベルトの竿保持体竿帯４９ｃと竿保持体４９ｄが用いられている。そして上部竿１ｃに設けられる第一中間竿３５ｂの竿操作手段と竿止め手段が図３及び図７に示す移動竿のそれと殆ど同じになっている。止め片６３ａ，６３ｂはその前側面に竿保持体の歯に合った歯面の掛かり部１８ｂを有している。操作のやり方や止め片の動きなどは前述の図７、図８等に示すものと殆ど同じであり、動作はより確実である。
【実施例５】
【００１９】
図１１は移動竿並びに中間竿の移動操作に用いることの出来る竿操作手段の他の実施例で、操作体として歯付ベルトを用いたものである。ここで、竿操作手段８０は竿８１内に回転自由に支持された水平軸８２等に固定され回転連結された操作歯車８３を有している。該操作歯車８３に巻き掛けられた輪状の操作体８４の引き側８５で操作し、弛み側８６で竿止め手段の止め片８７の掛け操作をするものである。操作歯車８３に巻き掛けられた操作体８４の周りをカバーするケース９０には、操作体８４の弛み側８６の動き空間を形成する窪み面８８と引き側８５の押し当て面を成す前壁面８９が有り、出口部の操作体８４の引き側８５と弛み側８６との間には分離壁９１が設けてある。操作歯車８３の下側に操作体の弛み側８６との間に形成される空間には水平軸８２周りに揺動する止め片８７が設けてある。該止め片８７は水平軸８２にブッシュを介して回転自在に支持された腕部から操作歯車８３の外周側に横に伸び出した半月状のブロック部分を有し、水平軸８２に保持されて揺動する。該止め片８７は必ずしも水平軸８２の保持されている必要はなく、任意に斜め上下に案内する案内手段を設けることも出来る。ブロック部分の前側面には操作体８４の刻み目に合致した歯９２が形成されている。該止め片８７は掛け止めされていない時は図のように自重により後方に下がり下側位置に保たれる。通常の使用では、引き側８５を下方へ引いて止め片８７の掛かりを外し、竿の重量と操作する手の力で引き側８５を引き弛めしながら竿を希望の位置に維持しておき、弛み側８６を下方へ引く。そこで、窪み面８８内の弛み側の操作体８４が張られて止め片８７を仮想線９３で示すように前方向へ押しやり、歯９２が引き側の操作体８４の刻み目に噛合わされる。ここで、引き側８５の手を放せば竿の重量で前壁面８９と止め片８７との間で操作体８４が掛け止めされ、水平軸８２の回転が止められる。
【実施例６】
【００２０】
図１２は竿移動保持装置の設けられた水平軸上に竿操作手段と竿止め手段を個々に独立に備える他の実施例で、移動竿並びに中間竿に設けることが出来る。ここで、上部竿1d内に回転自由に支持された四角軸の水平軸９ｄ上に竿移動保持装置６ｄと並列に竿操作手段８０ａと竿止め手段９４が各々独立して設けられている。竿操作手段８０ａは例えば図１１に示された竿操作手段８０をそのまま取り入れることが出来る。操作体の引き側８５ａを操作することで竿移動保持装置６ｄの竿帯３ｄを動かして結合されている竿を動かすことが出来る。水平軸９ｄを軸受を介して支持している支持板８ｄの側部に側方に出っ張るクラッチ歯９５が設けてある。一方、水平軸９ｄ上にはシフター９６を備えクラッチ歯９５に対面する側に噛合い歯を有するクラッチ体９７が矢印のようにスライド可能に、且つ水平軸９ｄと回転連結に保持されている。シフター９６には左右のローラ７３と７４に掛けられ交互に上下する操作紐７５と７６が結合されている。シフター９６の下部にはシフター９６の移動端での動きを軽く保持する保持バネ７７と７８が設けてある。操作紐７５を下に引き下げた時、図のようにクラッチ体９７が支持板８ｄ側との連結から外れ水平軸９ｄの回転が自由になる。操作紐７６を下に引き下げた時にクラッチ体９７と支持板８ｄ側が連結されて水平軸９ｄの回転が止められる。個々に竿操作手段８０ａと竿止め手段９４を用いて竿移動保持装置６ｄに保持された竿の移動操作と竿止め操作を行うことが出来る。
【実施例７】
【００２１】
移動竿が一本のものを含め、全ての竿操作手段と竿止め手段は制動機能付の電動の操作モータによることが出来る。図１３〜図１４によりその実施例を説明する。上部竿１ｆには巻掛け歯車１０ｆに隣接して移動竿モータ１０１が、第一中間竿の巻掛け歯車４８ａに隣接して第一中間竿モータ１０２が、第二中間竿の巻掛け歯車６０ａに隣接して第二中間竿モータ１０３がそれぞれ設けてある。移動竿モータ１０１と巻掛け歯車１０ｆとの間には電磁クラッチ１０４が、第一中間竿モータ１０２と巻掛け歯車４８ａとの間には電磁クラッチ１０５が、第二中間竿モータ１０３と巻掛け歯車６０ａとの間には電磁クラッチ１０６が設けてある。これらの各電磁クラッチは通電時のみ各々のモータ側に連結され、非通電時には手動側の連結に切換わる形式の電磁クラッチが使用されている。図１４において、四角軸断面の水平軸９ｆ上の一方側に軸受１０８を介して移動竿の巻掛け歯車１０ｆがその位置で回転自由に保持されている。該巻掛け歯車１０ｆに隣接して電磁クラッチ１０４が設けられており、該電磁クラッチ１０４を間にして他方の側に軸受１０９を介して移動竿モータ１０１のウオームに回転連結されるウオーム歯車１０７がその位置で回転自由に保持されている。電磁クラッチ１０４はその中央部に水平軸９ｆに固定されたローター１１０を有し、その巻掛け歯車１０ｆ側に非通電時にはバネ力で巻掛け歯車１０ｆ側に設けたクラッチ歯と常時噛合うクラッチ歯を備えるアーマチュア１１１が設けられている。一方、ウオーム歯車１０７側には非通電時にはバネ力で駆動歯車１０７側に設けたクラッチ歯との噛合いが常時開放されるクラッチ歯を備えるアーマチュア１１２が設けられている。そこで、非通電時には竿帯３ｆによる手動操作が行える。通電によってローター１１０のコイル１１３と１１４が励磁されるとアーマチュア１１１が吸引されて巻掛け歯車１０ｆ側との噛合いが開放される一方、アーマチュア１１２が吸引されてそのクラッチ歯がウオーム歯車１０７側と噛合う。そこで、通電時には電動の操作モータによる操作ができ、手動による操作は出来ない。第一中間竿及び第二中間竿の操作も電磁クラッチ１０５及び電磁クラッチ１０６によって同様に行われる。従って、停電や電気系の故障の際は、手動側として機能させることが出来るようになっている。この実施の方法によれば、電気系統を上部竿に集中させることが出来る利点がある。そして、電動の操作モータによる操作と手動の操作の選択が出来ることである。
【実施例８】
【００２２】
図１５に示す実施例は、図１１に示した実施例の竿操作手段８０を図５〜図８に示した実施例の第一中間竿の竿操作手段８０ｂとして適用する場合の一例である。操作体８４ｂの引き側８５ｂを下へ引いて第一中間竿３５ｇを上昇させるには、移動歯車４２ｇを備える水平軸３９ｇに矢印１１９方向の回転を与え必要がある。第一中間竿３５ｇ内には支軸８２ｂが固定されており、該支軸８２ｂに回転自由に支持される操作歯車８３ｂは、その側部に同心の小歯車１１８を一体に備えている。該小歯車１１８は水平軸３９ｇに固定されている大歯車１１７と噛合っている。そこで、操作体８４ｂの引き側８５ｂを下へ引くことにより水平軸３９ｇに矢印１１９方向の回転が与えられ、竿帯３ｇに噛合う移動歯車４２ｇによって第一中間竿３５ｇをゆっくりと上昇させることが出来る。操作は図１１の例のものと同じである。
【産業上の利用可能性】
【００２３】
これまで広く用いられている水平遮蔽羽のブラインドにおいて紐やテープを用いたものに代る新しい竿移動装置として実施することが出来る。又、新しい機能性に優れた遮蔽面を持つ水平遮蔽羽のブラインドとしても有効に実施されよう。
【図面の簡単な説明】
【００２４】
【図１】実施例を示すブラインドの正面図である。
【図２】図１における２部分の拡大図である。
【図３】図１における３−３断面図である。
【図４】図２における４−４断面図である。
【図５】他の実施例を示すブラインドの正面図である。
【図６】図５における中間竿操作手段部分の拡大図である。
【図７】図５における７−７断面図である。
【図８】図６における８−８断面図である。
【図９】他の実施例を示す中間竿操作手段部分の拡大図である。
【図１０】中間竿操作手段部分の他の実施例を示す軸直角部分断面図である。
【図１１】竿操作手段の他の実施例を示す軸直角断面図である。
【図１２】竿移動装置の他の実施例を示す上部竿部分の軸平行断面図である。
【図１３】他の実施例を示すブラインドの正面図でその一部を拡大して示す部分拡大図である。
【図１４】図１３における１４部分を拡大して示す軸平行断面図である。
【図１５】竿操作手段の他の実施例を示す軸直角断面図である。
【符号の説明】
【００２５】
１  上部竿
２ 
移動竿
３ 
竿帯
６ 
竿移動保持装置
９  水平軸
１０  巻掛け歯車
１４  操作部
１５  止め片
３５  第一中間竿
３６  第二中間竿
３９  水平軸
４２  移動歯車
４８  巻掛け車
４９  竿保持体
５０  第一竿操作部
６０  巻掛け車
６２  第二竿操作部
６３  止め片
８０  竿操作手段
８２  支軸
８３  操作歯車
８４  操作体
９４  竿止め手段
９７  止め片
１１７  大歯車
１１８  小歯車
【図１】
2005273220.tif 000003
【図２】
2005273220.tif 000004
【図３】
2005273220.tif 000005
【図４】
2005273220.tif 000006
【図５】
2005273220.tif 000007
【図６】
2005273220.tif 000008
【図７】
2005273220.tif 000009
【図８】
2005273220.tif 000010
【図９】
2005273220.tif 000011
【図１０】
2005273220.tif 000012
【図１１】
2005273220.tif 000013
【図１２】
2005273220.tif 000014
【図１３】
2005273220.tif 000015
【図１４】
2005273220.tif 000016
【図１５】
2005273220.tif 000017